(57)【要約】【課題】外部機器への送信後の画像データの消去処理に際して、カメラ側に保存されているべき画像データが誤って消去されないようにしたカメラを提供する。【解決手段】本発明のカメラは、スタンド装置に装着することで、データ記憶装置およびプリンタと接続可能であり、記録媒体１１５の画像データをデータ記憶装置に保存すると共に、その画像データを記録媒体から自動的に消去する機能を有している。そして、システムコントローラ１１６は、この保存済み画像データの自動消去を行うに当たり、例えばプリンタにプリントさせるためのプリント予約が行われている画像データについては、その消去を禁止する等の制御を実行する。【選択図】図８
2006287909.tif 000002
【特許請求の範囲】
【請求項１】
画像データを外部機器に通信するデータ通信部と、
内蔵または取り外し自在に収納される記録媒体に格納された画像データを前記データ通信部により外部機器に送信して保存させるデータ保存部と、
前記記録媒体に格納された画像データに関する制御を行うデータ制御部と、を備え
前記データ制御部は、前記データ保存部により前記外部機器に送信された画像データを前記記録媒体から消去する際に、当該画像データが所定の設定がなされた画像データであるときは、この画像データについては記録媒体から消去しないようにする
ことを特徴とするカメラ。
【請求項２】
前記データ制御部は、プリントの予約がなされた画像データ、特定のグループに登録された画像データまたはネットワークへの配信予約がなされた画像データの中の１つ以上に当該画像データが該当する場合には、この画像データが前記所定の設定がなされた画像データであるとして、記録媒体から消去しないようにする
ことを特徴とする請求項１記載のカメラ。
【請求項３】
前記データ制御部は、前記データ保存部により前記外部機器に送信された画像データを前記記録媒体から消去する際には、送信した画像データが外部機器に保存されたことの確認の後に消去する
ことを特徴とする請求項１記載のカメラ。
【請求項４】
前記記録媒体に格納された画像データ中のプリントの予約がなされた画像データを前記データ通信部により外部のプリンタに送信してプリントさせるプリント指示部を備え、
前記データ制御部は、前記データ保存部を介した前記外部機器による保存および前記プリント指示部を介したプリンタによるプリントが完了したときに、プリントの予約がなされた画像データについて、そのプリントの予約を解除して前記記録媒体からの消去する
ことを特徴とする請求項２記載のカメラ。
【請求項５】
前記記録媒体に格納された画像データであって前記所定の設定のひとつである配信予約がなされた画像データを前記データ通信部により遠隔機器に向けてネットワーク上に送信させるデータ配信部を備え、
前記データ制御部は、前記データ保存部を介した前記外部機器による保存及び前記データ配信部による送信が完了したときに、前記配信予約がなされた画像データについて、その配信予約を解除して前記記録媒体から消去する
ことを特徴とする請求項２記載のカメラ。
【請求項６】
前記データ制御部は、画像データが保存される外部機器の記録媒体がファイナライズを要する記録媒体のときには、この外部機器によるファイナライズの終了の確認後に、この画像データを消去する
ことを特徴とする請求項１記載のカメラ。
【請求項７】
カメラと、前記カメラから送信される画像データを保存する第１の外部機器と、前記カメラから送信される画像データの画像をプリントする第２の外部機器とからなるカメラシステムであって、
前記カメラは、
画像データを外部機器に通信するデータ通信部と、
内蔵または取り外し自在に収納される記録媒体に格納された画像データを前記データ通信部により前記第１の外部機器に送信して保存させるデータ保存部と、
前記記録媒体に格納された画像データ中のプリントの予約がなされた画像データを前記データ通信部により前記第２の外部機器に送信してプリントさせるプリント指示部と、
前記データ保存部を介した前記第１の外部機器による保存および前記プリント部を介した前記第２の外部機器によるプリントが完了したときに、プリントの予約がなされた画像データについて、そのプリントの予約の解除および前記記録媒体からの消去を実行するデータ制御部と
を具備することを特徴とするカメラシステム。
【請求項８】
データ通信部を介して画像データを外部機器に送信して保存させるカメラの当該画像データの制御方法であって、
内蔵または取り外し自在に収納される記録媒体に格納された画像データを前記データ通信部により外部機器に送信して保存させて、保存された画像データを前記記録媒体から消去する際に、少なくともプリントの予約、配信予約または特定のグループへの登録の少なくともいずれか１つなされた画像データについては消去しないようにする
ことを特徴とする画像データの制御方法。
【請求項９】
データ通信部を介して画像データを外部機器に送信して保存させるカメラの当該画像データの制御方法をコンピュータに実行させるプログラムであって、
前記制御方法は、
内蔵または取り外し自在に収納される記録媒体に格納された画像データを前記データ通信部により外部機器に送信して保存させて、保存された画像データを前記記録媒体から消去する際に、少なくともプリントの予約、配信予約または特定のグループへの登録の少なくともいずれか１つなされた画像データについては消去しないようにする
ことを特徴とするプログラム。
【請求項１０】
データ通信部を介して画像データを外部機器に送信して保存させるカメラの当該画像データの制御方法をコンピュータに実行させるプログラムを記録したコンピュータ読み取り可能な記録媒体であって、
前記制御方法は、
内蔵または取り外し自在に収納される記録媒体に格納された画像データを前記データ通信部により外部機器に送信して保存させて、保存された画像データを前記記録媒体から消去する際に、少なくともプリントの予約、配信予約または特定のグループへの登録の少なくともいずれか１つなされた画像データについては消去しないようにする
ことを特徴とするコンピュータ読み取り可能な記録媒体。
【発明の詳細な説明】
【技術分野】
【０００１】
この発明は、例えば外部接続されるデータ記憶装置へ送信済みの画像データを内蔵または取り外し自在に収納される記録媒体から消去する機能を有するカメラの動作制御技術に関する。
【背景技術】
【０００２】
近年、例えばＣＣＤ（charge coupled device）などの半導体撮像素子によって被写体像を撮像するデジタルカメラが広く普及している。この種のカメラでは、撮影した画像の画像データを内蔵メモリやスロットに収納した記録メディアに格納するが、この内蔵メモリや着脱型の記録メディアの記憶容量は限られた量であるため、例えばＨＤＤ、ＤＶＤ（Digital Versatile Disk）およびＣＤ（Compact Disc）などの大容量メディアに適宜転送して保存した後、内蔵メモリや着脱型の記録メディア上の画像データを消去するといったことが一般的に行われている。
【０００３】
このようなことから、カメラと、大容量のＨＤＤを内蔵し、このカメラをドッキングさせる専用のステーション装置とからなるカメラシステムも提案されている（例えば特許文献１等参照）。このカメラシステムでは、カメラからステーション装置へ撮影画像の画像データを転送した際、カメラ側の記憶媒体の残容量を調べて、その残量に応じて、カメラ側の記憶媒体からの画像データの消去を促す表示を行っている。
【０００４】
また、この種のカメラシステムに適用されるカメラであって、撮影画像の画像データを誤って消去しないように、外部機器への転送完了を示すフラグを確認した上で画像データを消去するように動作するカメラも提案されている（例えば特許文献２等参照）。
【特許文献１】特開２０００−３１２３２５号公報
【特許文献２】特開２００２−３２６４０４号公報
【発明の開示】
【発明が解決しようとする課題】
【０００５】
しかしながら、画像データをバックアップとして保存する機器と接続されるカメラにおいて、このバックアップ保存がなされた画像データを自動的にカメラ側の記憶媒体から消去する機能を作動させる場合、条件やタイミングを十分に考慮しないと、カメラ側の記憶媒体に残しておくべき画像データまで誤って消去されてしまうことになりかねない。つまり、バックアップ保存された画像データをカメラ側の記憶媒体から自動的に消去する機能は確かに便利ではあるが、常に自動的に消去されたのでは、却ってユーザに不便さを感じさせてしまう場合も考えられる。
【０００６】
この発明は、このような事情を考慮してなされたものであり、外部機器への送信後の画像データの消去処理に際して、カメラ側に保存されているべき画像データが誤って消去されないようにしたカメラ、カメラシステムおよび画像データの制御方法を提供することを目的とする。
【課題を解決するための手段】
【０００７】
前述した目的を達成するために、この発明のカメラは、画像データを外部機器に通信するデータ通信部と、内蔵または取り外し自在に収納される記録媒体に格納された画像データを前記データ通信部により外部機器に送信して保存させるデータ保存部と、前記記録媒体に格納された画像データに関する制御を行うデータ制御部と、を備え前記データ制御部は、前記データ保存部により前記外部機器に送信された画像データを前記記録媒体から消去する際に、当該画像データが所定の設定がなされた画像データであるときは、この画像データについては記録媒体から消去しないようにすることを特徴とする。
【０００８】
また、この発明は、カメラと、前記カメラから送信される画像データを保存する第１の外部機器と、前記カメラから送信される画像データの画像をプリントする第２の外部機器とからなるカメラシステムであって、前記カメラは、画像データを外部機器に通信するデータ通信部と、内蔵または取り外し自在に収納される記録媒体に格納された画像データを前記データ通信部により前記第１の外部機器に送信して保存させるデータ保存部と、前記記録媒体に格納された画像データ中のプリントの予約がなされた画像データを前記データ通信部により前記第２の外部機器に送信してプリントさせるプリント指示部と、前記データ保存部を介した前記第１の外部機器による保存および前記プリント部を介した前記第２の外部機器によるプリントが完了したときに、プリントの予約がなされた画像データについて、そのプリントの予約の解除および前記記録媒体からの消去を実行するデータ制御部とを具備することを特徴とする。
【０００９】
また、この発明は、データ通信部を介して画像データを外部機器に送信して保存させるカメラの当該画像データの制御方法であって、内蔵または取り外し自在に収納される記録媒体に格納された画像データを前記データ通信部により外部機器に送信して保存させて、保存された画像データを前記記録媒体から消去する際に、少なくともプリントの予約、送信予約または特定のグループへの登録の少なくともいずれか１つなされた画像データについては消去しないよう制御することを特徴とする。
【発明の効果】
【００１０】
この発明によれば、外部機器への送信後の画像データの消去処理に際して、カメラ側に保存されているべき画像データが誤って消去されないようにしたカメラ、カメラシステムおよび画像データの制御方法を提供することができる。
【発明を実施するための最良の形態】
【００１１】
以下、図面を参照してこの発明の実施形態について説明する。図１は、本発明の一実施形態に係るデジタルカメラ１の外観図であり、（ａ）〜（ｃ）は、それぞれ正面図、接続部が設けられている方の側面図、上面図である。なお、この（ａ）〜（ｃ）は、カメラ１の表示装置が閉成位置に畳まれているときの状態を示すものである。
【００１２】
図１に示すように、カメラ１は、カメラ本体２の正面図（ａ）の左側ほぼ１／３（幅方向の寸法で）に把持部３が形成され、把持部３の上部にはセルフタイマ用報知窓４が設けられている。また、カメラ本体２の右側ほぼ２／３を、表示装置５がその背面をカメラ正面方向に見せて覆っており、その表示装置５の上部には、カメラの種々の状態を点灯又は点滅報知するための報知光透過窓６が設けられ、表示装置５の下部にダブルヒンジ７が取り付けられている。また、上面図（ｃ）に示すように、カメラ本体２の表示装置５に対向する背面には、本体側端部側に段差部２−１が形成されている。
【００１３】
カメラ１の上面には、セルフタイマ用報知窓４の上方に当たる位置に、ズームレバー８とシャッタボタン９が配置され、その右方にリモコン用受光部１１が配設されている。また、側面図（ｂ）に示すように、カメラ１にはカメラ接続部１２が設けられている。このカメラ接続部１２のカメラ１の高さ方向における位置は、カメラ１の高さ方向の中心（１／２ｈ）に位置するように配置されている。これにより、カメラ１の天地を逆にしても、カメラ接続部１２の高さ位置は変わることがない。
【００１４】
図２は、表示装置５が下位置に回動しているときのカメラ１の外観図であり、（ａ）は正面図，（ｂ）は接続部が設けられている方の側面図である。
【００１５】
正面図（ａ）に示すように、表示装置５がダブルヒンジ７を支点にして下方位置に回動されると、カメラ本体２の開成された前面上部左側（カメラ全体としてはほぼ中央）に撮影レンズ窓１３、上部右端にストロボ窓１４、その下にマイク１５がそれぞれ現われる。また、表示装置５内部には液晶表示装置が備えられ、表示装置５の前面に液晶表示面である表示面５−１が配置される。
【００１６】
表示装置５の表示面５−１の右下方には電源ボタン１６が設けられている。なお、報知光透過窓６は、図１のように表示装置５が畳まれているときでも図２のように開かれているときでも報知光を外部に放散する。すなわち、表示装置５の表裏両面方向に報知光を放散する。
【００１７】
なお、この図２に示す表示装置５の開成位置でのカメラ１の使用方法は、ユーザが自分で自分の居る方向を撮影するような場合に、表示装置５の表示面５−１をモニタとして見ながら用いられる方法である。
【００１８】
図３に、このカメラ1の使用方法を示す。（ａ）は、前述の表示装置５を下位置から更にカメラ１の裏側に回り込むように回動させて表示装置５の背面をカメラ本体２の裏面に当接させた状態の背面図である。（ｂ）は、その使用状態を示す図である。図１および図２と同一の構成部分には、それらと同一の番号を付与して示している。
【００１９】
（ａ）に示すように、カメラ１の使用に当たって表示装置５をカメラ１の裏側に回り込ませて、カメラ１の背面のほぼ２／３を覆い隠すように表示面５−１をカメラ１の背面に配置したとき、カメラ１の背面の残る１／３の面に、モードダイヤル１７、ＸＹ操作ボタン１８、その他の操作ボタン１９（１９−１、１９−２、１９−３）が配設されており、表示装置５の表示面５−１に表示される表示画面を見ながら、種々の操作を行うことができるようになっている。
【００２０】
そして、撮影時には、（ｂ）に示すように、把持部３を手に持って、表示面５−１に映し出される映像を確認しながらシャッタボタン９を押下して撮影を行うことが出来る。また、このように表示装置５をカメラ１の裏側にまで回り込ませると、図１に示す携帯時の配置から裏返ったダブルヒンジ７の裏面に形成されている三脚用ネジ穴２１が下方に向けて外部に露出するようになっている。これにより、この図３に示す状態で、三脚を用いて撮影を行うこともできる。
【００２１】
図４は、カメラ１を取り外し自在に装着可能なスタンド装置２２の外観図である。図示のように、スタンド装置２２はスタンド本体２３と収納部２４とから構成されている。また、収納部２４は、カメラ１を載置する載置面２５と、この載置面２５の対向する２方の縁部から立設された側壁２６とで形成されている。側壁２６は、載置面２５に載置されるカメラ１の高さ方向の２方の側面を保護し且つ位置決めする。
【００２２】
スタンド本体２３は、円筒形状の回動部２７を平面部（後述する図５の２３−１）の中央に備えている。回動部２７は、円筒形状の端面を回動面（同図５の２７−１）とし、この回動面が、カメラ１が収納部２４に収納されたときカメラ接続部１２に対向するようにスタンド本体２３に配置されている。また、回動部２７は、円筒形状の周面を操作部としてその一部をスタンド本体２３の上部に露出するように配置されている。
【００２３】
そして、この回動部２７の回動面には、カメラ１のカメラ接続部１２と電気的に接続するためのスタンド接続部（同図５の２８）が突設されている。このスタンド接続部は、回動部２７の回動面の回動中心から半径方向にややずれた位置に設けられている。これにより、収納部２４に収納されたカメラ１の表向き又は裏返しの向きに応じて収納部２４内での位置が異なるカメラ１のカメラ接続部１２に対応して、ユーザの操作による回動部２７の回動により、２つの位置に置き換わる。
【００２４】
また、スタンド本体２３の背面には中央部に広く周囲より一段へこんだ凹部２３−２が形成されており、この凹部２３−２に、カメラ１と外部間で信号を通信するためのＵＳＢ（universal serial bus）コネクタ３１とＤＣ電源コネクタ３２とが配設されている。また、凹部２３−２の両側の凸面のうち同図では左側にくる凸面にはビデオ出力端子３３が配設されている。
【００２５】
図５は、本実施形態のスタンド装置２２にカメラ１を装着する方法が２通りあることを説明するための図である。（ａ）は、図３に示した状態のカメラ１を表示装置５の表示面５−１を上に向けて寝かせた状態を示す。（ｂ）は、（ａ）状態のカメラ１のスタンド接続部２８に適合する接続制限部材２９の位置を示す。一方（ｃ）は、図１に示した状態のカメラ１を正面を上に向けて寝かせた状態を示す。（ｄ）は、（ｃ）状態のカメラ１のスタンド接続部２８に適合する接続制限部材２９の位置を示す。
【００２６】
ここで、カメラ１の向きと回動部２７の回動位置が正しい組合せで、カメラ接続部１２がスタンド接続部２８への装着が許可されることについて説明する。スタンド装置２２の収納部２４に対するカメラ１の装着姿勢を表裏いずれを上に向けても、つまり図１においてカメラ１の天地を逆にしても、カメラ接続部１２のカメラ１に対する高さ位置は変わることがない。
【００２７】
したがって、回動部２７を１８０°回動させ、その回動面２７−１に配置されているスタンド接続部２８を変位させるだけで、装着姿勢が表裏いずれかに変化したカメラ１のカメラ接続部１２に容易に対応することができる。
【００２８】
しかしこれでは、逆向きでも機械的には接続可能になり、逆向き状態で使用されると正常な動作はできず故障の原因にもなる。この逆接続を防止するために、回動部２７の回動面２７−１に板状の接続制限部材２９が設けられている。この接続制限部材２９は、スタンド接続部よりも突出するように設けられている。
【００２９】
接続制限部材２９は正しい組合せの状態でのみ段差２−１の上に入り込み、カメラ接続部１２がスタンド接続部２８に接続するのを許可する。逆に正しくない組合せの状態では、カメラ接続部１２がスタンド接続部２８に接続される前に接続制限部材２９がカメラ１の側面に衝突して、カメラ接続部１２とスタンド接続部２８との接続を禁止する。
【００３０】
（ａ）は、図３に示した状態のカメラ１を表示装置５の表示面５−１を上に向けて寝かせた状態を示す。（ｂ）は、この（ａ）状態のカメラが装着される状態を示す。このようにカメラ１を裏向きにスタンド装置２２にｂ方向の向きで装着すると、ＤＣ電源コネクタ３２を介してＤＣ電源から充電を受けている最中でも、表示装置５の表示面５−１の表示画面を見ながら、モードダイヤル１７やＸＹ操作ボタン１８あるいはその他の操作ボタン１９−１〜３を操作して、種々の処理を行うことができる。
【００３１】
また、（ｃ）は、図１に示した状態のカメラ１を正面を上に向けて寝かせた状態を示す。（ｄ）はこの（ｃ）状態のカメラが装着される状態を示す。回動部２７が（ｂ）の状態から１８０度回動されている。
【００３２】
この状態で、スタンド装置２２の収納部２４に対し、カメラ１を図５の矢印ｃで示すように移動させ、（ｄ）に破線で示すようにカメラ１をスタンド装置２２に装着すると、接続禁止部材２９の先端が、この場合もカメラ本体２の段差部２−１に入り込むと共に、スタンド接続部２８がカメラ接続部１２に接続される。この状態では、背面のモードダイヤル１７やＸＹ操作ボタン１８の操作ができなくなる。
【００３３】
図６は、スタンド装置２２を介してカメラ１をデータ記憶装置４０およびプリンタ５０に接続させた様子を示した図である。スタンド装置２２は、データ記憶装置４０に重ねるようにその上面に載置されると、データ記憶装置４０の接続部と電気的に接続される接続部をさらに有しており、この接続部は、前述のスタンド接続部２８と電気的に接続されている。つまり、データ記憶装置４０上に載せられたスタンド装置２２にカメラ１を装着することで、カメラ１とデータ記憶装置４０とを電気的に接続させることができる。また、データ記憶装置４０とプリンタ５０とをケーブル接続しておくことで、同時にカメラ１とプリンタ５０とをも電気的に接続させることができるようになっている。
【００３４】
図７は、図６に示した状態で相互に接続されるカメラ１、スタンド装置２２、データ記憶装置４０、プリンタ５０、ネットワーク７０及び遠隔機器７１等からなる本実施形態のカメラシステムのシステム構成図である。図示のように、カメラ１は、スタンド装置２２を介してデータ記憶装置４０と電気的に接続され、このデータ記憶装置４０を介してさらにプリンタ５０と電気的にも接続される。ここでは、この接続がＵＳＢで行われ、カメラ１をホスト、データ記憶装置４０およびプリンタ５０をデバイスとしたツリー構造を形成するものとする。従って、本カメラシステムでは、カメラ１およびデータ記憶装置４０間の通信と、カメラ１およびプリンタ５０間との通信が排他選択的に実行される。
【００３５】
また、データ記憶装置４０は、プリンタ５０と共にさらにパーソナルコンピュータ６０をケーブル接続することができるようになっている。前述のように、スタンド装置２２には、ＵＳＢコネクタ３１が設けられているので、ユーザは、パーソナルコンピュータ６０をスタンド装置２２経由でカメラ１と一対で接続することもできるし、この図７で示したように、データ記憶装置４０経由でカメラ１を中心としたツリー構造の一端をなすデバイスとして接続することもできる。この２通りの接続形態については、プリンタ５０も同様であり、ユーザは、プリンタ５０をスタンド装置２２経由でカメラ１と一対で接続することも可能である。データ記憶装置４０には、カメラ１を中心としたツリー構造のバスを構成するためのハブとしての制御を司る複合システムコントローラ４１と、カメラ１で撮影された画像の画像データを保存する保存部４２が設けられている。
【００３６】
また、スタンド装置２２またはデータ記憶装置４０はネットワーク７１にも接続できる。スタンド装置２２またはデータ記憶装置４０がＵＳＢ経由でルーター７０に接続される。ルーター７０は、ネットワーク上を流れるデータを他のネットワークに中継する機器である。ルーター７０がネットワーク７１に接続される。ネットワーク７１としては電話回線が代表例である。そしてこのネットワーク７１に、遠隔機器７２（例えば携帯電話、パソコン、プリンタ）が接続される。記録媒体１１５から読み出された画像データがネットワーク７１に設けられるプロバイダのサーバー（不図示）を介して遠隔機器７２に配信される。
【００３７】
このように、カメラ１はデータ記憶装置４０上に載せられたスタンド装置２２に装着すれば、データ記憶装置４０、プリンタ５０、ネットワーク７０およびパーソナルコンピュータ６０などと簡単に接続することのできる。そこで、カメラ１は、撮影を行ったり、電池１２６を充電するための動作モードのほか、データ記憶装置４０に画像データを送信して保存させる保存モード、プリンタ５０に画像データを送信して印刷させるプリントモード、パーソナルコンピュータ６０との間で通信を行うＰＣモード、ネットワーク７１で接続された遠隔機器７２に画像データを配信させる配信モード数々の動作モードを有している。また、このカメラ１は、保存モードで画像データを保存した後、記録媒体１１５からその画像データを自動的に消去する機能を有している。
そして、このカメラ１は、この保存した画像データの自動消去を行うに当たって、記憶媒体１１５に残しておくべき画像データを誤って消去しないように制御する点を特徴としており、以下、この点について説明する。
【００３８】
まず、図８を参照して、カメラ１の構成について説明する。図８は、このカメラ１の構成を示すブロック図である。
【００３９】
レンズ１０１を通過した被写体光がＣＣＤ（charge coupled device）１０２に入射すると、その撮影面上に被写体像が結像される。このＣＣＤ１０２の露光や読み出し等の各種制御は、撮像回路１０３によって行われ、撮像回路１０３によって読み出されたＣＣＤ１０２の画像信号は、Ａ／Ｄ変換回路１０４でアナログ信号からデジタル信号に変換された後、補正回路１０５に入力される。
【００４０】
補正回路１０５は、入力した画像信号に対して、ＩＳＯ感度設定、オートホワイトバランス、輝度／色信号生成、ガンマ処理等を施すことにより、所定フォーマットのカラー画像信号を生成する。このカラー画像信号は、ＦＩＦＯ（first-in, first-out）メモリ１０６を介してオンスクリーン回路１０７に転送され、例えば撮影可能枚数や撮影条件の設定状態を示すマークなど、ユーザに提示すべき情報が画像上に重畳される。そして、このオンスクリーン回路１０７から出力されたカラー画像信号は、ＴＦＴ（thin film transistor）液晶駆動回路１０８に供給され、モニタ画として表示装置５のＴＦＴパネル１０９に表示され、または、ビデオ出力回路１１０に供給されて外部出力される。
【００４１】
また、補正回路１０５から出力されるカラー画像信号は、シャッタボタン９が押下されたタイミングでフレームメモリ１１１に取り込まれ、画像処理部１１２によって圧縮符号化が施されて記録バッファ１１３に蓄積され、記録媒体Ｉ／Ｆ１１４によって例えばカード型のメモリデバイスである記録媒体１１５に撮影画像として記録される。この記録媒体１１５に記録された撮像画像は、再生時、画像処理部１１２によって読み出され、伸長復号化が施されてフレームメモリ１１１に蓄積された後、撮影時のモニタ画と同様に、ＦＩＦＯメモリ１０６、オンスクリーン回路１０７およびＴＦＴ液晶駆動回路１０８を経て表示装置５のＴＦＴパネル１０９に表示され、または、ビデオ出力回路１１０を経て外部出力される。画像処理部１１２は、前述した圧縮符号化（画像圧縮機能）、伸長符号化（画像伸長機能）、記録媒体１１５に対するアクセス（記録媒体アクセス機能）のほか、フレームメモリ１１１の制御（フレームメモリコントロール機能）も実行する。
【００４２】
以上のようなカメラ１の動作は、システムコントローラ１１６によって統合的に制御されており、ＥＥＰＲＯＭ１１７には、このシステムコントローラの制御手順を記述したプログラムやこのプログラムに引数として渡される各種設定値などが格納される。撮像回路１０３、オンスクリーン回路１０７、ＴＦＴ液晶駆動回路１０８、画像処理部１１２および表示装置５のバックライトユニット１１８は、システムコントローラ１１６からの制御信号を直接受け取って駆動し、また、レンズ１０１は、システムコントローラ１１６からの制御信号を受け取ったアクチュエータ駆動回路１１９で駆動されるアクチュエータ１２０によって駆動される。
【００４３】
また、このシステムコントローラ１１６に対しては、キーマトリクス回路１２１、リモコン受光回路１２２、表示装置開閉検出部１２３、接続検出部１２４および電池状態検出回路１２５から制御信号が供給される。キーマトリクス回路１２１は、ズームレバー８やシャッタボタン９などの操作を検知して通知し、リモコン受光回路１２２は、リモコン用受光部１１による遠隔操作用の制御信号の受光を検知して通知する。表示部開閉検出部１２３は、カメラ１が図１に示した状態、つまり表示装置５が閉成位置に畳まれている状態にあるかどうかを検知して通知し、接続検出部１２４は、カメラ１が図５の（ｂ），（ｄ）に示したいずれの状態、つまりスタンド装置２２に表裏いずれの状態で装着されている状態にあるかどうかを検知して通知する。電池状態検出回路１２５は、バッテリ駆動用の繰り返し充放電可能な電池１２６を監視し、例えばローバッテリ状態などを検知して通知する。電池１２６の充電を含むカメラ１の電力供給制御は、電源回路１２７によって実行される。システムコントローラ１１６は、この電源回路１２７にも制御信号を供給して駆動制御する。電池１２６のほか、カメラ１には、例えばボタン型電池などのバックアップ電源１２８が搭載されている。
【００４４】
さらに、このシステムコントローラ１１６には、データ通信部である外部データＩ／Ｆ１２９が接続される。外部データＩ／Ｆ１２９により、この外部データＩ／Ｆ１２９により、カメラ接続部１２を介して接続されるデータ記憶装置４０やプリンタ５０あるいはネットワーク７１との間のデータ送受信が実行される。
【００４５】
そして、システムコントローラ１１６には、前述した保存済み画像データの送信に関わる機能として、データ保存部１１６ｂ、プリント指示部１１６ｃ、データ配信部１１６ｄが備わる。データ保存部１１６ｂは、記録媒体１１５に記録されている画像データをデータ記憶装置４０に送信してこの画像データの保存の指示を行う。プリント指示部１１６ｃは、記録媒体１１５に記録されている画像データをプリンタ５０に送信してプリント指示を行う。また、データ配信部１１６ｄは、同じく記録されている画像データを、ルーター７０、ネットワーク７１を経由して遠隔機器７２へ配信する指示を行う。データ配信部１１６ｄの指示により、記録媒体１１５から読み出された画像データが外部データＩ／Ｆ１２９から送信され、ルーター７０を経て、ネットワーク７１に設けられるプロバイダのサーバーを介して遠隔機器７２（例えば携帯電話、パソコン、プリンタ）に配信される。また、データ配信部１１６ｄは、予め配信する画像データを複数指定して記憶しておく配信予約も管理する。
【００４６】
そしてシステムコントローラ１１６は、送信された保存済み画像データの自動消去に関わる機能として、データ制御部１１６ａを備える。そしてこのデータ制御部１１６ａは、上記機能以外にプリントエラー判別機能、保存エラー判別機能、画像消去機能、プリント予約機能、アルバム機能、画像プロテクト機能も有している。以上のデータ制御部１１６ａ等の機能は、システムコントローラ１１６がプログラムに従って実行される機能の中の一部の機能である。
【００４７】
まず、図９〜図１０のフローチャートを参照して、画像データの保存と保存済み画像データの自動消去の基本動作手順を説明する。
【００４８】
接続検出部１２４からの制御信号でスタンド装置２２への装着を検出すると、システムコントローラ１１６は、まず、ＵＳＢの接続状態を外部データＩ／Ｆ１２９に問い合わせる（ステップＡ１）。もし、ＵＳＢ信号がアクティブの状態でなければ（ステップＡ２のＮＯ）、システムコントローラ１１６は、電源回路１２７に対して電池１２６の充電を指示する（ステップＡ３）。一方、ＵＳＢ信号がアクティブの状態であれば（ステップＡ２のＹＥＳ）、システムコントローラ１１６は、データ記憶装置４０が接続されたと判断する。そして、記憶媒体１１５に格納された画像データを記録媒体Ｉ／Ｆ１１４により読み出し、データ保存部１１６ｂがこの読み出した画像データを外部データＩ／Ｆ１２９によりデータ記憶装置４０に送信する保存動作を実行する（ステップＡ４）。
【００４９】
この保存動作において、データ記憶装置４０からエラー発生が外部データＩ／Ｆ１２９に通知されると（ステップＡ５のＹＥＳ）、システムコントローラ１１６は、保存動作中にエラーが発生した旨を示す保存エラーフラグをＥＥＰＲＯＭ１１７に保存する（ステップＡ６）。また、保存が正常終了した場合（ステップＡ５のＮＯ）、システムコントローラ１１６は、その保存した画像データと元の画像データとの突き合わせを行い（ステップＡ７）、何らかの違いが認められたら（ステップＡ８のＮＯ）、同じく保存動作中にエラーが発生した旨を示す保存エラーフラグをＥＥＰＲＯＭ１１７に保存する（ステップＡ６）。
【００５０】
この突き合わせにより、画像データが正しく保存されていることが確認されたら（ステップＡ８のＹＥＳ）、データ制御部１１６ａは、その画像データについて、プリント予約、配信予約、アルバム登録およびプロテクトの設定有無を調べる（ステップＡ９，Ａ１０，Ａ１１）。
【００５１】
プリント予約は、記録媒体１１５に格納された画像データの中でプリンタ５０にプリントさせたい画像データに対して行うものであり、この機能を使うことにより、目的の画像データの画像のみを一回の操作で一括して印刷することができる。
【００５２】
配信予約は、記録媒体１１５に格納された画像データの中で遠隔機器７２に対して、この機能を使うことにより、目的の画像データのみを一回の操作で一括して配信することができる。
【００５３】
また、アルバム登録は、記録媒体１１５に格納された画像データの中で同一のグループとして管理したい画像データに対して行うものであり、この機能を使うことにより、目的のグループ内の画像データの画像のみを再生や印刷の対象とすることができる。さらに、プロテクトは、記録媒体１１５に格納された画像データの中で消去を禁止する画像データに対して行うものであり、この機能を使うことにより、ユーザの誤操作によって重要な画像データが消去されてしまうことを防止できる。
【００５４】
なおこれらの予約等設定は、ＴＦＴパネル１０９に専用の設定画面を表示し、この設定画面上でユーザが行った操作をキーマトリックス回路１２１からの制御信号で検知することで実施され、その内容は、例えば記録媒体１１５上の各々の所定のフォルダ内にプリント予約情報、配信予約情報、アルバム登録情報、プロテクト情報として格納される。つまり、これらの情報を参照することにより、データ制御部１１６ａは、プリント予約、配信予約、アルバム登録およびプロテクトの設定有無を判断することができる。
【００５５】
そして、この画像データが、プリント予約、配信予約、アルバム登録およびプロテクトのいずれの設定も行われていない場合（ステップＡ９のＮＯ，ステップＡ１０のＮＯ，ステップＡ１１のＮＯ）、データ制御部１１６ａはこの保存した画像データを記録媒体Ｉ／Ｆ１１４により記録媒体１１５から消去する（ステップＡ１２）。なお、ここでいう「消去」は、記録媒体１１５からそのデータを削除する処理をさすだけでなく、他のデータを上書きすることや、あるいは当該データエリアへの他のデータの上書きを許可するよう記録媒体１１５の管理用ファイルを更新すること等も含まれる。
【００５６】
一方、プリント予約、配信予約、アルバム登録およびプロテクトの設定が１つでも行われていた場合（ステップＡ９，Ａ１０またはＡ１１のＹＥＳ）、データ制御部１１６ａは、このデータ記憶装置４０に保存した画像データをそのまま記録媒体１１５にも残しておく。
【００５７】
システムコントローラ１１６（データ制御部１１６ａ、データ保存部１１６ｂ）は、記録媒体１１５上のすべての画像データについてステップＡ４〜ステップＡ１２の処理を行い、そのすべてが終了したら（ステップＡ１３のＹＥＳ）、ＥＥＰＲＯＭ１１７に保存エラーフラグが保持されていないかどうかを調べる（ステップＡ１４）。システムコントローラ１１６は、保持されていたら（ステップＡ１４のＹＥＳ）、保存動作中にエラーが発生した旨を示すメッセージをＴＦＴパネル１０９に表示すべく画像処理部１１２、オンスクリーン回路１０７およびＴＦＴ液晶駆動回路１０８を制御する（ステップＡ１５）。
【００５８】
このように、このカメラ１では、保存済み画像データの自動消去を行うに当たり、カメラ１に残しておいた方が便利と考えられる所定の設定がなされた画像データについては、その消去を禁止すべく動作制御が行われる。
【００５９】
また、このカメラ１は、前述の保存モードとしての動作を行った後、記録媒体１１５に格納された画像データ中のプリント予約がなされた画像データをプリントするプリントモードとしての動作を継続して行うように設定することができる。つまり、この設定を行っておけば、ユーザは、データ記憶装置４０上に載せられたスタンド装置２２にカメラ１を装着するだけで、撮影した画像の画像データを一括して保存できると共に、予め選択しておいた画像のみをプリントできる。次に、図１１のフローチャートを参照して、この設定を考慮した保存済み画像データの自動消去の動作手順を説明する。
【００６０】
スタンド装置２２への装着を検知してから保存動作を終了するまでの動作は、図９に示した流れと同じである。図９のステップＡ１３から図１１のステップＢ１に進む。そして、ＥＥＰＲＯＭ１１７に保存エラーフラグが保持されていた場合のＴＦＴパネル１０９へのメッセージの表示を行った後（ステップＢ１のＹＥＳ，ステップＢ２）、システムコントローラ１１６は、続いてプリントモードとして動作するような設定となっているかどうかを調べる（ステップＢ３）。この設定は、ＴＦＴパネル１０９に専用の設定画面を表示し、この設定画面上でユーザが行った操作をキーマトリックス回路１２１からの制御信号で検知することで実施され、その内容は、ＥＥＰＲＯＭ１１７に保持されるので、システムコントローラ１１６は、ＥＥＰＲＯＭ１１７を参照することにより、この設定有無を判定する。
【００６１】
もし、続いてプリントモードとして動作する旨の設定がなされていると（ステップＢ３のＹＥＳ）、システムコントローラ１１６は、記憶媒体１１５に格納された画像データの中からプリント予約された画像データを記録媒体Ｉ／Ｆ１１４により読み出し、プリント指示部１１６ｂはこの読み出した画像データを外部データＩ／Ｆ１２９によりプリンタ５０に送信するプリント動作を実行する（ステップＢ４）。
【００６２】
このプリント動作において、プリンタ５０からエラー発生が外部データＩ／Ｆ１２９に通知されると（ステップＢ５のＹＥＳ）、システムコントローラ１１６は、プリント動作中にエラーが発生した旨を示すプリントエラーフラグをＥＥＰＲＯＭ１１７に保存記録する（ステップＢ６）。一方、エラーを発生させることなくプリントが終了した場合（ステップＢ５のＮＯ）、データ制御部１１６ａは、プリント予約以外の配信予約、アルバム登録およびプロテクトについての設定有無を調べる（ステップＢ７）。もし、いずれの設定もなされていなければ（ステップＢ７のＹＥＳ）、データ制御部１１６ａは消去可能であると判断し、記録媒体Ｉ／Ｆ１１４により、このタイミングで保存済み画像データの自動消去を実行すると共に（ステップＢ８）、この画像データについてのプリント予約情報を消去する（ステップＢ９）。なお、プリント予約情報と画像データの消去の順番は逆でも良い。
【００６３】
システムコントローラ１１６（データ制御部１１６ａ、プリント指示部１１６ｂ）は、記録媒体１１５上のプリント予約されたすべての画像データについてステップＢ４〜ステップＢ９の処理を行い、そのすべてが終了したら（ステップＢ１０のＹＥＳ）、ＥＥＰＲＯＭ１１７にプリントエラーフラグが保持されていないかどうかを調べる（ステップＢ１１）。そして、保持されていなければ（ステップＢ１１のＮＯ）、データ制御部１１６ａは、記録媒体１１５のプリント予約情報全体を消去する（ステップＢ１２）。一方、保持されていれば（ステップＢ１１のＹＥＳ）、システムコントローラ１１６は、プリント動作中にエラーが発生した旨を示すメッセージをＴＦＴパネル１０９に表示すべく画像処理部１１２、オンスクリーン回路１０７およびＴＦＴ液晶駆動回路１０８を制御する（ステップＢ１３）。
【００６４】
このように、このカメラ１では、保存済み画像データの自動消去を行うに当たり、プリント予約された画像データについては、そのプリントの終了と共に消去するといった適切な動作制御が行われる。つまり、配信予約等されていなければ、記録媒体１１５からデータ記憶装置４０に送信され保存されたプリント後の画像データは、全て記録媒体１１５から消去されることになる。
【００６５】
また、このカメラ１では、保存モードとしての動作を行った後、記録媒体１１５中の配信予約がなされた画像データを配信処理することもできる。この手順は、前記図１１で説明したプリント処理を配信処理に代えることで実現できるので、フローチャートは省略する。この設定を行っておけば、ユーザは、データ記憶装置４０上に載せられたスタンド装置２２にカメラ１を装着するだけで、撮影した画像の画像データを一括して保存でき。予め選択しておいた画像データのみを配信できる。そして、図１１のプリントの場合と同様に、データ制御部１１６ａは保存と配信の完了後に配信予約を解除して、画像データの自動消去を行う。
【００６６】
ところで、以上では、保存部４２としてＨＤＤを搭載したデータ記憶装置４０を画像データの保存先とすることを前提としたが、ＣＤ−ＲやＤＶＤなどに画像データを保存させる場合も少なくない。そして、このＣＤ−ＲやＤＶＤでは、各社で販売・製造される駆動装置間での互換性を確保するために、データの書き込みを行った後、ファイナライズと称されるクローズ処理が行われる。そして、このファイナライズを正常に終了させることができないと、個々の書き込みは正常終了していても、データの読み出しを行うことができない場合が発生する。そこで、次に、図１２〜図１３のフローチャートを参照して、ファイナライズが必要な記憶媒体を保存先とした場合の保存済み画像データの自動消去の動作手順を説明する。
【００６７】
接続検出部１２４からの制御信号でスタンド装置２２への装着を検出すると、システムコントローラ１１６は、まず、ＵＳＢの接続状態を外部データＩ／Ｆ１２９に問い合わせる（ステップＣ１）。もし、ＵＳＢ信号がアクティブの状態でなければ（ステップＣ２のＮＯ）、システムコントローラ１１６は、電源回路１２７に対して電池１２６の充電を指示する（ステップＣ３）。一方、ＵＳＢ信号がアクティブの状態であれば（ステップＣ２のＹＥＳ）、システムコントローラ１１６は、記憶媒体１１５に格納された画像データを記録媒体Ｉ／Ｆ１１４により読み出す。そして、データ保存部１１６ｂがこの読み出した画像データを外部データＩ／Ｆ１２９によりデータ記憶装置４０に送信する保存動作を実行する（ステップＣ４）。
【００６８】
この保存動作において、データ記憶装置４０からエラー発生が外部データＩ／Ｆ１２９に通知されると（ステップＣ５のＹＥＳ）、システムコントローラ１１６は、その画像データの保存動作がエラー終了した旨を示す画像エラーフラグと保存動作中にエラーが発生した旨を示す保存エラーフラグをＥＥＰＲＯＭ１１７に保存する（ステップＣ６〜ステップＣ７）。また、保存が正常終了した場合（ステップＣ５のＮＯ）、システムコントローラ１１６は、その保存データと元データとの突き合わせを行い（ステップＣ８）、何らかの違いが認められたら（ステップＣ９のＮＯ）、同じくその画像データの保存動作がエラー終了した旨を示す画像エラーフラグと保存動作中にエラーが発生した旨を示す保存エラーフラグをＥＥＰＲＯＭ１１７に保存する（ステップＣ６〜ステップＣ７）。
【００６９】
この突き合わせにより、正しく保存されていることが確認されても（ステップＣ９のＹＥＳ）、データ制御部１１６ａは、このタイミングでは画像データの自動消去は行わない。記録媒体１１５上のすべての画像データについてステップＣ４〜ステップＣ９の処理が終了したら（ステップＣ１０のＹＥＳ）、データ記憶装置４０に通信する。保存先であるデータ記憶装置４０で、記憶媒体のファイナライズが実行される（図１３のステップＣ１１）。
【００７０】
もし、このファイナライズが失敗すると（ステップＣ１２のＮＯ）データ記憶装置４０からその旨の連絡がカメラ１にされる。これを受けて、システムコントローラ１１６は、記録媒体の書き込みがエラーとなった旨を示すメッセージをＴＦＴパネル１０９に表示すべく画像処理部１１２、オンスクリーン回路１０７およびＴＦＴ液晶駆動回路１０８を制御する（ステップＣ１３）。一方、ファイナライズが成功したら（ステップＣ１２のＹＥＳ）、データ制御部１１６ａは、このタイミングで、保存済みの画像データそれぞれについて、画像保存エラーフラグがＥＥＰＲＯＭ１１７に保持されていないかどうかを確認する（ステップＣ１４）。そして、この画像保存エラーフラグが保持されておらず、かつ、プリント予約、配信予約、アルバム登録およびプロテクトのいずれの設定も行われていない場合に（ステップＣ１５のＹＥＳ）、データ制御部１１６ａは、保存済み画像データの自動消去を実行する（ステップＣ１６）。
【００７１】
そして、データ制御部１１６ａは、記録媒体１１５上のすべての画像データについてステップＣ１４〜ステップＣ１６の処理を行う。システムコントローラ１１６は、そのすべてが終了したら（ステップＣ１７のＹＥＳ）、ＥＥＰＲＯＭ１１７に保存エラーフラグが保持されていないかどうかを調べ（ステップＣ１８）、保持されていたら（ステップＣ１８のＹＥＳ）、保存動作中にエラーが発生した旨を示すメッセージをＴＦＴパネル１０９に表示すべく画像処理部１１２、オンスクリーン回路１０７およびＴＦＴ液晶駆動回路１０８を制御する（ステップＣ１９）。
【００７２】
このように、このカメラ１では、保存済み画像データの自動消去を行うに当たり、個々の画像データの保存の正常終了のみならず、記憶媒体のファイナライズの正常終了を考慮した動作制御が行われる。
【００７３】
なお、ここでは、データ記憶装置４０に対する保存を行った後の（カメラ１側の）記録媒体１１５からの画像データの自動消去について説明したが、このカメラ１は、スタンド装置２２に装着することで種々の外部機器とＵＳＢ接続することが可能であるので、保存後の自動消去に限らず、本発明の手法は、様々に応用できる。
【００７４】
以上説明した実施形態から以下のような発明が抽出される。
１）画像データを外部機器に通信するデータ通信部（外部データＩ/Ｆ１２９）と、
内蔵または取り外し自在に収納される記録媒体に格納された画像データを前記データ通信部により外部機器に転送して保存させるデータ保存部（データ保存部１１６ｂ）と、
前記記録媒体に格納された画像データに関する制御を行うデータ制御部（データ制御部１１６ａ）と、を備え
前記データ制御部は、前記データ保存部により前記外部機器に転送される画像データを前記記録媒体から消去する際に、当該画像データが所定の設定がなされた画像データであるときは、この画像データについては記録媒体から消去しないようにすることを特徴とするカメラ。
【００７５】
２）前記データ制御部は、プリントの予約がなされた画像データ、特定のグループに登録された画像データまたはネットワークへの配信予約がなされた画像データの中の１つ以上に当該画像データが該当する場合には、この画像データが前記所定の設定がなされた画像データであるとして、記録媒体から消去しないようにすることを特徴とする上記１）記載のカメラ。
【００７６】
３）前記記録媒体に格納された画像データ中のプリントの予約がなされた画像データを前記データ通信部により外部のプリンタに送信してプリントさせるプリント指示部（プリント指示部ｃ）を備え、
前記データ制御部は、前記データ保存部を介した前記外部機器による保存および前記プリント指示部を介したプリンタによるプリントが完了したときに、プリントの予約がなされた画像データについて、そのプリントの予約を解除して前記記録媒体からの消去する
ことを特徴とする上記２）記載のカメラ。
【００７７】
４）前記記録媒体に格納された画像データであって前記所定の設定のひとつである配信予約がなされた画像データを前記データ通信部により遠隔機器（遠隔機器７２）に向けてネットワーク（ネットワーク７１）上に送信させるデータ配信部（データ配信部１１６ｄ）を備え、
前記データ制御部は、前記データ保存部を介した前記外部機器による保存及び前記データ配信部による送信が完了したときに、前記配信予約がなされた画像データについて、その配信予約の解除および前記記録媒体からの消去することを特徴とする上記２）記載のカメラ。
【００７８】
５）カメラと、前記カメラから転送される画像データを保存する第１の外部機器（データ記憶装置４０）と、前記カメラから送信される画像データの画像をプリントする第２の外部機器（プリンタ５０）とからなるカメラシステムであって、
前記カメラは、
画像データを外部機器に通信するデータ通信部（外部データＩ/Ｆ１２９）と、
内蔵または取り外し自在に収納される記録媒体に格納された画像データを前記データ通信部により前記第１の外部機器に転送して保存させるデータ保存部（データ保存部１１６ｂ）と、
前記記録媒体に格納された画像データ中のプリントの予約がなされた画像データを前記データ通信部により前記第２の外部機器に転送してプリントさせるプリント指示部（プリント指示部１１６ｃ）と、
前記データ保存部を介した前記第１の外部機器による保存および前記プリント部を介した前記第２の外部機器によるプリントが完了したときに、プリントの予約がなされた画像データについて、そのプリントの予約の解除および前記記録媒体からの消去を実行するデータ制御部（データ制御部１１６ａ）と
を具備することを特徴とするカメラシステム。
【００７９】
なお、（メインＣＰＵである）システムコントローラ１１６に対し上記機能を実行するソフトウェアのプログラムを供給し、このシステムコントローラ１１６が、供給されたプログラムに従って上記動作させることにより上記実施の形態の機能を実現したものも、本発明の範疇に含まれる。つまり上記ソフトウェアのプログラム自体が上述した実施の形態の機能を実現することになり、そのプログラム自体は本発明を構成する。
【００８０】
また、これらのプログラムは前述のＥＥＰＲＯＭ以外の記録媒体の形式で記憶され、そこから読み出されて実行されていも良い。更に、上記プログラムはカメラ１に着脱可能な記録媒体に格納されても良い。記録媒体としては、フロッピィディスク（登録商標）、ＣＤ−ＲＯＭの他にも、ＤＶＤ等の光学記録媒体、ＭＤ等の磁気記録媒体、テープ媒体、ＩＣカード等の半導体メモリ等を用いることができる。
また、専用通信ネットワークやインターネットに接続されたサーバシステムに設けたハードディスクまたはＲＡＭ等の格納装置を記録媒体として使用し、通信網を介してプログラムをカメラ１に提供してもよい。あるいは他のアプリケーションソフト等と協働して上述の実施の形態の機能が実現される場合にも、かかるプログラムが本発明の実施の態様に含まれることはいうまでもない。
【００８１】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００８２】
また、システムコントローラによって実行される上記機能の一部又は全部をハードウェアにより実現するようにしても良い。また、上記実施例は特に記載のない限りは処理の順序を限定するものでもない。
【図面の簡単な説明】
【００８３】
【図１】本発明の一実施形態に係るデジタルカメラの外観図
【図２】同実施形態の表示装置が下位置に回動しているときのカメラの外観図
【図３】同実施形態のカメラの本来の使用方法を示す図
【図４】同実施形態のカメラを取り外し自在に装着可能なスタンド装置の外観図
【図５】同実施形態のスタンド装置にカメラを装着する方法が２通りあることを説明するための図
【図６】同実施形態のスタンド装置を介してカメラをデータ記憶装置およびプリンタに接続させた様子を示した図
【図７】同実施形態の相互に接続されるカメラ、スタンド装置、データ記憶装置およびプリンタからなるカメラシステムのシステム構成図
【図８】同実施形態のカメラの構成を示すブロック図
【図９】同実施形態の保存済み画像データの自動消去の基本動作手順（１／２）を示すフローチャート
【図１０】同実施形態の保存済み画像データの自動消去の基本動作手順（２／２）を示すフローチャート
【図１１】同実施形態のプリントを一連の動作で行う場合の保存済み画像データの自動消去の動作手順を示すフローチャート
【図１２】同実施形態のファイナライズが必要な記憶媒体を保存先とした場合の保存済み画像データの自動消去の動作手順（１／２）を示すフローチャート
【図１３】同実施形態のファイナライズが必要な記憶媒体を保存先とした場合の保存済み画像データの自動消去の動作手順（２／２）を示すフローチャート
【符号の説明】
【００８４】
１…デジタルカメラ、２…カメラ本体、２−１…段差部、３…把持部、４…セルフタイマ用報知窓、５…表示装置、５−１…表示面、６…報知光透過窓、７…ダブルヒンジ、８…ズームレバー、９…シャッタボタン、１１…リモコン用受光部、１２…カメラ接続部、１３…撮影レンズ窓、１４…ストロボ窓、１５…マイク、１６…電源ボタン、１７…モードダイヤル、１８…ＸＹ操作ボタン、１９−１〜３…操作ボタン、２１…三脚用ネジ穴、２２…スタンド装置、２３…スタンド本体、２３…凹部、２３−１…平面部、２４…収納部、２５…載置面、２６…側壁、２７…回動部、２７−１…回動面、２８…スタンド接続部、２９…接続禁止部材、３１…ＵＳＢコネクタ、３２…ＤＣ電源コネクタ、３３…ビデオ出力端子、４０…データ記憶装置、４１…複合システムコントローラ、４２…保存部、５０…プリンタ、６０…パーソナルコンピュータ、１０１…レンズ、１０２…ＣＣＤ、１０３…撮像回路、１０４…Ａ／Ｄ変換回路、１０５…補正回路、１０６…ＦＩＦＯメモリ、１０７…オンスクリーン回路、１０８…ＴＦＴ液晶駆動回路、１０９…ＴＦＴパネル、１１０…ビデオ出力回路、１１１…フレームメモリ、１１２…画像処理部、１１３…記録バッファ、１１４…記録媒体Ｉ／Ｆ、１１５…記録媒体、１１６…システムコントローラ、１１７…ＥＥＰＲＯＭ、１１８…バックライトユニット、１１９…アクチュエータ駆動回路、１２０…アクチュエータ、１２１…キーマトリクス回路、１２２…リモコン受光回路、１２３…表示部開閉検出部、１２４…接続検出部、１２５…電池状態検出回路、１２６…電池、１２７…電源回路、１２８…バックアップ電源、１２９…外部データＩ／Ｆ。
【図１】
2006287909.tif 000003
【図２】
2006287909.tif 000004
【図３】
2006287909.tif 000005
【図４】
2006287909.tif 000006
【図５】
2006287909.tif 000007
【図６】
2006287909.tif 000008
【図７】
2006287909.tif 000009
【図８】
2006287909.tif 000010
【図９】
2006287909.tif 000011
【図１０】
2006287909.tif 000012
【図１１】
2006287909.tif 000013
【図１２】
2006287909.tif 000014
【図１３】
2006287909.tif 000015